(57)【要約】      （修正有）【課題】収納した絵や写真に奥行きを感じさせるようにする格納ケースを提供する。【解決手段】格納ケースは、絵や写真等のシート状部材の収納に用いられる。そのような格納ケースは、上方に開放する第１の収納空間を有し、該第１の収納空間の底板が矩形の形状を有する箱状のケース本体１２と、前記第１の収納空間の開放部を開閉可能に前記ケース本体に取り付けられた第１の蓋１４であって、前記底板と対向可能の透明な矩形の第１の板状部３０を有する第１の蓋と、前記ケース本体及び前記第１の蓋のいずれか一方に着脱可能に配置された第１のスペーサ１６であって、前記底板と前記第１の板状部との間に位置された透明な矩形の第２の板状部４０を有する第１のスペーサとを含む。【選択図】図１
0003161145.tif 000002
【実用新案登録請求の範囲】
【請求項１】
上方に開放する第１の収納空間を有し、該第１の収納空間の底板が矩形の形状を有する箱状のケース本体と、
前記第１の収納空間の開放部を開閉可能に前記ケース本体に取り付けられた第１の蓋であって、前記底板と対向可能の透明な矩形の第１の板状部を有する第１の蓋と、
前記ケース本体及び前記第１の蓋のいずれか一方に着脱可能に配置された第１のスペーサであって、前記底板と前記第１の板状部との間に位置された透明な矩形の第２の板状部を有する第１のスペーサとを含む、シート状部材の格納ケース。
【請求項２】
前記第１のスペーサは、前記ケース本体及び前記第１の蓋のいずれか一方に開閉可能に取り付けられている、請求項１に記載の格納ケース。
【請求項３】
前記本体ケースは、さらに、下方に開放する第２の収納空間を前記第１の収納空間と反対の側に有し、
当該格納ケースは、さらに、前記第２の収納空間の開放部を開閉可能に前記ケース本体に取り付けられた第２の蓋であって、前記底板に対向可能の透明な矩形の第３の板状部を有する第２の蓋を含む、請求項１及び２のいずれか１項に記載の格納ケース。
【請求項４】
さらに、前記本体ケース及び前記第２の蓋のいずれか一方に着脱可能に取り付けられた第２のスペーサであって、前記底板と前記第３の板状部との間に位置された透明な矩形の第４の板状部を有する第２のスペーサを含む、請求項３に記載の格納ケース。
【請求項５】
前記第２のスペーサは、前記ケース本体及び前記第２の蓋のいずれか一方に開閉可能に取り付けられている、請求項４に記載の格納ケース。
【請求項６】
前記ケース本体の底板は透明である、請求項１ないし５のいずれか１項に記載の格納ケース。
【請求項７】
前記第１及び第２のスペーサの少なくとも一方は、前記第２又は第４の板状部の各側縁部から立ち上がる又は立ち下がる側板部であって、下方又は上方に第３又は第４の収納空間を前記第２又は第４の板状部と共同して形成する側板部を有する、請求項１ないし６のいずれか１項に記載の格納ケース。
【請求項８】
対向する一対の側板部のそれぞれは、該側板部から該側板部の厚さ方向外方に突出する突出部であって、前記ケース本体と前記第１の蓋とのいずれか一方又は前記ケース本体と前記第２の蓋とのいずれか一方に設けられた凹所に揺動可能に結合された突出部を有する、請求項７に記載の格納ケース。
【請求項９】
前記側板部の一つは、該側板部の上端から突出し、かつ該側板部の延在方向へ延びると共に、他の側板部の側と反対の側へ延びる頂板部を有する、請求項８に記載の格納ケース。
【考案の詳細な説明】
【技術分野】
【０００１】
本考案は、絵画や写真等のシート状部材を格納するケースに関し、特にプラスチック製のケースを用いた格納ケースに関する。
【背景技術】
【０００２】
従来、表面に絵や写真等が表示又は印刷されたシート状部材は、額縁やフォトスタンド、ケース等に格納されて鑑賞されている。しかし、前記シート状部材を格納するこれらのケースは、高価なものが多い。このことから、廉価なプラスチックケースを格納ケースとして使用したものがある（特許文献１）。
【０００３】
この従来技術においては、矩形の箱状のケース本体と、該ケース本体に開閉可能に取り付けられた蓋とを有するプラスチックケースにおいて、トレイ部材をケース本体に着脱可能に取り付けている。これにより、このプラスチックケースにおいては、ケース本体と蓋との間に内部空間が形成される。このため、プラスチックケースは、複数のシート状部材を内部空間に格納することができ、シート状部材の格納ケースとして使用される。
【０００４】
上記のような格納ケースによれば、ケース本体及び蓋のすくなくとも一方を透明の樹脂で形成することにより、その内部空間に格納したシート状部材をケース本体及び蓋のいずれか一方の透明な部材を介して鑑賞することができる。これにより、格納ケースは、これを壁や柱等に取り付けることにより、又は机上に配置することにより、シート状部材の表面に表示又は印刷された絵や写真を鑑賞することができる。
【０００５】
しかし、上記従来の格納ケースは、ケース本体と蓋との間に内部空間を形成しているにすぎないから、複数のシート状部材を重ねて格納し得るにすぎない。このため、シート状部材の表面に表示又は印刷された絵や写真を鑑賞しようとする人は、ケース本体及び蓋のいずれか一方の側の最も近くに配置されたシート状部材の表面に表示又は印刷された絵や写真を鑑賞することができるにすぎない。
【０００６】
さらに、シート状部材はその厚さが薄いから平面状の部材である。このため、そのようなシート状部材の表面に表示又は印刷された絵や写真は、鑑賞者に奥行きを感じさせず、立体感を与えない。
【先行技術文献】
【特許文献】
【０００７】
【特許文献１】実用新案登録第３１５２３８６号
【考案の概要】
【考案が解決しようとする課題】
【０００８】
本考案の目的は、収納した絵や写真に奥行きを感じさせるようにすることにある。
【課題を解決するための手段】
【０００９】
本考案に係る格納ケースは、絵や写真等のシート状部材の収納に用いられる。そのような格納ケースは、上方に開放する第１の収納空間を有し、該第１の収納空間の底板が矩形の形状を有する箱状のケース本体と、前記第１の収納空間の開放部を開閉可能に前記ケース本体に取り付けられた第１の蓋であって、前記底板と対向可能の透明な矩形の第１の板状部を有する第１の蓋と、前記ケース本体及び前記第１の蓋のいずれか一方に着脱可能に配置された第１のスペーサであって、前記底板と前記第１の板状部との間に位置された透明な矩形の第２の板状部を有する第１のスペーサとを含む。
【００１０】
前記第１のスペーサは、前記ケース本体及び前記第１の蓋のいずれか一方に開閉可能に取り付けられていてもよい。
【００１１】
前記本体ケースは、さらに、下方に開放する第２の収納空間を前記第１の収納空間と反対の側に有することができる。また本考案に係る格納ケースは、さらに、前記第２の収納空間の開放部を開閉可能に前記ケース本体に取り付けられた第２の蓋であって、前記底板に対向可能の透明な矩形の第３の板状部を有する第２の蓋を含むことができる。
【００１２】
本考案に係る格納ケースは、さらに、前記本体ケース及び前記第２の蓋のいずれか一方に着脱可能に取り付けられた第２のスペーサであって、前記底板と前記第３の板状部との間に位置された透明な矩形の第４の板状部を有する第２のスペーサを含むことができる。
【００１３】
前記第２のスペーサは、前記ケース本体及び前記第２の蓋のいずれか一方に開閉可能に取り付けられていてもよい。また、前記ケース本体の底板は透明とすることができる。
【００１４】
前記第１及び第２のスペーサの少なくとも一方は、前記第２又は第４の板状部の各側縁部から立ち上がる又は立ち下がる側板部であって、下方又は上方に第３又は第４の収納空間を前記第２又は第４の板状部と共同して形成する側板部を有することができる。
【００１５】
対向する一対の側板部のそれぞれは、該側板部から該側板部の厚さ方向外方に突出する突出部であって、前記ケース本体と前記第１の蓋とのいずれか一方又は前記ケース本体と前記第２の蓋とのいずれか一方に設けられた凹所に揺動可能に結合された突出部を有することができる。
【００１６】
前記側板部の一つは、該側板部の上端から突出し、かつ該側板部の延在方向へ延びると共に、他の側板部の側と反対の側へ延びる頂板部を有することができる。
【考案の効果】
【００１７】
本考案によれば、スペーサにより、該スペーサの板状部とケース本体の底板との間及びスペーサの板状部と蓋との間にシート状部材を離間させた状態に保持することができるから、ケース本体の側に配置されたシート状部材と蓋の側に配置されたシート状部材との間に奥行きを作ることができる。これにより、鑑賞者が、底板部の側のシート状部材を、蓋の側のシート状部材を介して蓋の側から見たとき、両シート状部材の絵又は写真により形成される合成画像は鑑賞者に立体感を感じさせる。
【図面の簡単な説明】
【００１８】
【図１】本考案に係る格納ケースの一実施例を開放状態で示す斜視図。
【図２】図１に示す格納ケースからスペーサを取り外してケース本体及び蓋を開放状態で示す斜視図。
【図３】図１に示す格納ケースで用いるスペーサの一実施例を示す斜視図。
【図４】図１に示す格納ケースの使用例を示す斜視図。
【図５】本考案に係る格納ケースの他の実施例を開放状態で示す斜視図。
【図６】図５に示す収納ケースで用いるスペーサの実施例を示す斜視図。
【図７】本考案に係る格納ケースのさらに他の実施例を開放状態で示す斜視図。
【考案を実施するための形態】
【００１９】
［実施例１］
【００２０】
図１を参照するに、格納ケース１０は、ケース本体１２と、該ケース本体を開閉する蓋１４と、ケース本体１２に着脱可能に配置されたスペーサ１６とを備える。
【００２１】
ケース本体１２は、図２に示すように、矩形の形状を有する底板１８と、それぞれが矩形の各辺に対応する側縁部であって底板１８の側縁部から立ち上がりかつ該側縁部の延在方向に延びる、対向する二対の側壁部２０、２２と、底板１８及び側壁部２０、２２により囲まれた収納空間２４とを有する。収納空間２４は、底板１８の上方に向けて開放されている。
【００２２】
対向する一対の側壁部２０のそれぞれは、該側壁部の一方の端部に形成されかつ他方（相手側）の側壁部２０の側と反対の側に開口された凹所２６と、他方の側壁部２０の側に開口されかつ当該側壁部の延在方向に間隔をおいた複数の凹所２８とを有する。対向する他の一対の側壁部２２のそれぞれは、ほぼ同じ幅寸法を有する帯板状の形状を有する。
【００２３】
蓋１４は、透明な矩形の板状部３０と、それぞれが矩形の対向する一対の辺に対応する側縁部であって板状部３０の一対の側縁部からケース本体１２の側に突出しかつ前記側縁部の延在方向に延びる、対向する一対の側壁部３２と、対向する他の一対の側縁部の一方からケース本体１２の側に突出して前記対向する他の一対の側縁部の延在方向に延びる側壁部３４とを備える。
【００２４】
図示の例では、側壁部３４は、対向する他の一対の側縁部のうち、凹所２６が位置する側の側縁部に形成されており、対向する他の一対の側縁部の他方には側壁部３４は設けられていない。
【００２５】
各側壁部３２は、側壁部３４を超えて延びる延長部３６と、対向する側壁部３２に突出する状態に延長部３６に形成された突出部３８と、他方の側壁部３２の側（収容空間の側）に開口されかつ側壁部３２の延在方向に間隔をおいた複数の凹所（図示せず）とを有する。
【００２６】
各突出部３８は、ケース本体１２に開閉可能に凹所２６に嵌合されている。これにより、蓋１４は、収容空間２４を開放可能にケース本体１２に結合されている。ケース本体１２の収容空間２４を蓋１４で閉じたとき、ケース本体１２の底板１８と蓋１４の板状部３０とは対向する。
【００２７】
スペーサ１６は、図３に示すように、透明な矩形の板状部４０と、該板状部の各側縁部から上方に突出し、各側縁部の延在方向に延びる二対の側板部４２と、板状部４０の上面及び４つの側板部４２により囲まれた収納空間４４とを備える。収納空間４４は、板状部４０の上方に向けて開放されている。
【００２８】
スペーサ１６の対向する一対の側板部４２のそれぞれは、該側板部から側板部４２の厚さ方向外方に突出して延びる少なくとも一つの突出部４６を有する。突出部４６は、スペーサ１６をケース本体１２に着脱可能にケース本体１２の側壁部２０の穴２８に嵌合されている。これにより、スペーサ１６は、収容空間２４を開放可能にケース本体１２に結合されている。
【００２９】
スペーサ１６は、該スペーサの板状部４０がケース本体１２の底板１８と対向して収納空間２４内に位置するように、ケース本体１２に着脱可能に配置されている。しかし、スペーサ１６は、該スペーサの板状部４０が蓋１４の板状部３０と対向して、収容空間２４を閉鎖するように、ケース本体１２に着脱可能に蓋１４に配置されていてもよい。
【００３０】
上記いずれの場合も、スペーサ１６の板状部４０が収容空間２４内に位置されていると共に、ケース本体１２の収容空間２４が蓋１４により閉鎖されていると、ケース本体１２の底板１８、蓋１４の板状部３０、及びスペーサ１６の板状部４０とは対向する。
【００３１】
スペーサ１６の対向する一対の側板部４２に直交する方向に位置する他の一対の側板部４２の一方（突出部４６が形成された側に位置する側板部４２）は、頂板部４８を有する。頂板部４８は、対応する側板部４２の上端から上方に突出し、その側板部４２の延在方向に延び、さらに、前記他の一対の側板部４２の他方と反対の側（収容空間４４の側と反対側）へ延びている。
【００３２】
図示の例では、ケース本体１２の底板１８及び側壁部２０，２２は、同じ透明プラスチック材料で一体的に製作されているが、少なくとも底板１８が透明であればよい。同様に、蓋１４の板状部３０、側壁部３２、３４、延長部３６、及び突出部３８も、同じ透明プラスチック材料で一体的に製作されているが、少なくとも板状部３０が透明であればよい。さらに、スペーサ１６の板状部４０及び側板部４２も同じ透明プラスチック材料で一体的に製作されているが、少なくとも板状部４０が透明であればよい。
【００３３】
格納ケース１０においては、ケース本体１２、蓋１４及びスペーサ１６が空間２４及び４４を開放する、いわゆる開いた状態において、第１のシート状部材５０（図４参照）が蓋１４の板状部３０とスペーサ１６との間に配置され、第２のシート状部材５２（図４参照）がスペーサ１６の板状部４０とケース本体１２の底板２２との間に配置される。その後、図４に示すように、ケース本体１２、蓋１４及びスペーサ１６が空間２４及び４４を閉じる状態に閉じられる。
【００３４】
これにより、第１及び第２のシート状部材５０及び５２がスペーサ１６の板状部４０により離間されて保持されるから、両シート状部材５０及び５２間に奥行きが形成される。その結果、鑑賞者が、第１のシート状部材５０を、第２のシート状部材５２を介して蓋１４の側から見たとき、両シート状部材５０及び５２の絵又は写真により合成される合成像は鑑賞者に立体感を感じさせる。
【００３５】
上記実施例において、凹所２６及び突出部３８を、それぞれ、ケース本体１２及び蓋１４に設ける代わりに、蓋１４及びケース本体１２に設けてもよい。同様に、突出部４６及びこれが嵌合される穴を、それぞれ、スペーサ１６及びケース本体１２に設ける代わりに、ケース本体１２及びスペーサ１６に設けてもよい。突出部４６が嵌合される穴を凹所としてもよい。
【００３６】
また、側板部４２を、上方に突出する側縁部とする代わりに、下方に突出する側縁部としても良い。この場合、上方に開放する収納空間４４の代わりに、板状部４０の下面と側板部４２とに囲まれた収納空間（図示せず）は下方に開放される。しかし、第１のシート状部材５０は蓋１４の板状部３０とスペーサ１６との間に配置され、第２のシート状部材５２はスペーサ１６の板状部４０とケース本体１２の底板１８との間に配置される。
【００３７】
上記のようにしても、第１及び第２のシート状部材５０及び５２がそれらの厚さ方向に離間した状態に維持されるから、両シート状部材５０及び５２の絵又は写真により合成される合成像は鑑賞者に立体感を感じさせる。
【００３８】
［実施例２］
【００３９】
図５及び６に示す格納ケース１０及びスペーサ１６のように、外方に突出する一対の突出部５４を頂板部４８の長手方向の端部に設け、両突出部５４をケース本体１２及び蓋１４のいずれか一方に設けられた穴又は凹所に嵌合させ、それによりスペーサ１６をケース本体１２及び蓋１４のいずれか一方に枢軸的に結合しもよい。
【００４０】
また、上記に代えて、内方に突出して延びる一対の突出部５４をース本体１２及び蓋１４のいずれか一方に状態に設け、両突出部５４を頂板部４８の長手方向の端部に設けられた穴又は凹所に嵌合させ、それによりスペーサ１６をケース本体１２及び蓋１４のいずれか一方に枢軸的に結合してもよい。
【００４１】
図５及び６に示す格納ケース１０及びスペーサ１６は、スペーサ１６がケース本体１２及び蓋１４のいずれか一方に対し開閉可能に枢軸的に結合されている点で第１の実施例と異なる。
【００４２】
［実施例３］
【００４３】
図７に示す格納ケース１０は、第２の収納空間５６をケース本体１２の下側に形成するように、収納空間５６を開閉する第２の蓋５８をケース本体１２に結合している。収納空間５６は、ケース本体１２の底板１８の下面と、該底板の対向する側縁部から立ち下がり、該側縁部の延在方向に延びる二対の側壁部６０、６２とにより囲まれている。
【００４４】
蓋５８は、透明な矩形の板状部（図示せず）を有し、下方に開放する収納空間５６を開閉可能にケース本体１２に枢軸的に取り付けられている。収納空間５６には、スペーサ１６と同様の第２のスペーサを配置してもよいし、コンパクトディスクを保持するための保持部材６４を配置してもよい。
【００４５】
図７に示す格納ケース１０は、ケース本体１２に下方に開放する第２の収納空間５６を有し、該第２の収納空間を開閉可能に配置された第２の蓋５８を備える点で第１の実施例と異なる。
【符号の説明】
【００４６】
１０            シート状部材の格納ケース
１２            ケース本体
１４            第１の蓋
１６            第１及び第２のスペーサ
１８            底板
２４            第１の収納空間
２６、２８      凹所
３０            第１の板状部
４０            第２及び第４の板状部
４２            側板部
４４            第３の収納空間
４６            突出部
４８            頂板部
５６            第２の収納空間
５８            第２の蓋
【図１】
0003161145.tif 000003
【図２】
0003161145.tif 000004
【図３】
0003161145.tif 000005
【図４】
0003161145.tif 000006
【図５】
0003161145.tif 000007
【図６】
0003161145.tif 000008
【図７】
0003161145.tif 000009